(57)【特許請求の範囲】
【請求項１】
大便器に洗浄水を供給するロータンクが設けられる空間と、前記ロータンクの側方に形成される側部収納部と、を仕切る側板と、
前記ロータンクが設けられる空間の上方と前記側部収納部との上方とに形成される上部収納部と、前記ロータンクが設けられる空間および前記側部収納部と、を仕切りつつ複数に分割された底板と、
を備えたことを特徴とするトイレ空間のキャビネット収納箱。
【請求項２】
前記底板は、前記側板を境界として分割され、
前記分割された底板は、それぞれ独立して取り外し可能であることを特徴とする請求項１記載のトイレ空間のキャビネット収納箱。
【請求項３】
前記底板は、手指を挿入可能な切欠部を有することを特徴とする請求項１または２に記載のトイレ空間のキャビネット収納箱。
【発明の詳細な説明】
【技術分野】
【０００１】
本発明の態様は、一般的に、トイレ空間のキャビネット収納箱に関する。
【背景技術】
【０００２】
収納部を天板とロータンク上部の間に上部を開放した形態で配設させ天板が収納部の蓋部材を兼ねているトイレユニットがある（特許文献１）。特許文献１に記載されたトイレユニットは、ロータンクを隠蔽し、そのロータンクの上部に収納部を有する。そして、ロータンクの内部構造に何らかの支障をきたした場合、点検補修等を行う際、まず天板を取り外し、続いて収納部を上方に持ち上げれば内部の点検補修等を行える。
【０００３】
しかしながら、特許文献１に記載されたトイレユニットでは、収納部がロータンクの点検補修等の作業を阻害するため、ロータンクの点検補修等を行う際にはその比較的大きな収納部を上方に持ち上げなければならない。そのため、ロータンクの点検補修等の作業性を向上させるという点においては改善の余地がある。
【０００４】
また、キャビネットの左右の側面板と壁面との間に収納空間を形成し、左右の側面板に収納空間を開閉する扉を取り付けた便器の扉付きキャビネットがある（特許文献２）。特許文献２に記載された便器の扉付きキャビネットは、可動板の位置を調整して扉寸法を収納空間の幅寸法に容易に合わせることができる。また、特許文献２に記載された便器の扉付きキャビネットは、洗浄タンクをカバーする。
【０００５】
しかしながら、特許文献２に記載された便器の扉付きキャビネットは、洗浄タンクを隠蔽しているわけではない。つまり、洗浄タンクの上方は、キャビネットにより覆われているわけではなく開放されている。そのため、洗浄タンクのメンテナンスを行う際に、収納空間が洗浄タンクのメンテナンス作業を阻害するという課題がそもそも発生しない。
【０００６】
また、上キャビネット内に棚板を設置し、上キャビネット内の棚板の上方空間を小物品等の収納空間としたキャビネット組み込み型便器の取付構造がある（特許文献３）。  
しかしながら、特許文献３に記載されたキャビネット組み込み型便器の取付構造では、収納空間を形成する棚板が洗浄タンクのメンテナンス作業を阻害するため、洗浄タンクのメンテナンスを行う際には、収納空間にある小物品等を予め全て取り出した後に比較的大きな棚板を持ち上げて取り外す必要がある。そのため、洗浄タンクのメンテナンス作業をする際やメンテナンス作業以外の行為が多くかかるため問題がある。
【先行技術文献】
【特許文献】
【０００７】
【特許文献１】特開平１１−２８６９８２号公報
【特許文献２】特開２００３−３２８４２１号公報
【特許文献３】特開平８−４０８６号公報
【発明の概要】
【発明が解決しようとする課題】
【０００８】
本発明は、かかる課題の認識に基づいてなされたものであり、ロータンクの上方に収納部を確保し、ロータンクのメンテナンスの作業性を向上させることができるトイレ空間のキャビネット収納箱を提供することを目的とする。
【課題を解決するための手段】
【０００９】
第１の発明は、大便器に洗浄水を供給するロータンクが設けられる空間と、前記ロータンクの側方に形成される側部収納部と、を仕切る側板と、前記ロータンクが設けられる空間の上方と前記側部収納部との上方とに形成される上部収納部と、前記ロータンクが設けられる空間および前記側部収納部と、を仕切りつつ複数に分割された底板と、を備えたことを特徴とするトイレ空間のキャビネット収納箱である。
【００１０】
このトイレ空間のキャビネット収納箱によれば、底板が複数に分割されている。そのため、作業者等は、メンテナンスを行う際には、ロータンクの上方に設けられた部分の底板を取り外すことによりメンテナンスを行うことができる。言い換えれば、作業者等は、メンテナンスを行う際には、全ての底板を取り外す必要はない。
【００１１】
また、底板が分割されているため、上部収納部に収納物が収納されている場合でも、作業者等は、メンテナンス作業を阻害する底板に置かれている収納物を取り出すことによりメンテナンスを行うことができる。言い換えれば、作業者等は、メンテナンスを行う際には、上部収納部に収納された全ての収納物を取り出す必要はない。作業者等は、メンテナンス作業を阻害しない底板に置かれた収納物を取り出すことなく、メンテナンス作業を阻害する底板に置かれた収納物だけを取り出し、そのメンテナンス作業を阻害する底板を取り外すことによりメンテナンスを行うことができる。
【００１２】
また、底板が分割されているため、作業者等は、底板が分割されていない場合よりも小さくて軽い底板を容易に取り外すことができる。例えば、底板の上方に桟やヒンジなどが設けられている場合でも、作業者等は、分割された底板を上部収納部内で容易に傾けることができる。そのため、作業者等は、分割された底板が桟やヒンジなどと接触することを抑えつつ、その分割された底板を容易に取り外すことができる。
【００１３】
また、作業者等は、メンテナンス作業を阻害しない底板を取り付けた状態のままでロータンクのメンテナンスを行うことができるため、メンテナンスの際に用具などを取り付けた状態の底板に仮置きすることができる。これらのように、底板が分割されているため、ロータンクのメンテナンスの作業性を向上させることができる。
【００１４】
また、第２の発明は、第１の発明において、前記底板は、前記側板を境界として分割され、前記分割された底板は、それぞれ独立して取り外し可能であることを特徴とするトイレ空間のキャビネット収納箱である。
【００１５】
このトイレ空間のキャビネット収納箱によれば、底板は、側板を境界として分割され、その分割された底板は、それぞれ独立して取り外し可能である。そのため、使用者は、ロータンクの上方に設置された底板を取り外すことなく、側部収納部の上方に設置された底板だけを取り外すことにより、側部収納部と上部収納部とを接続することができる。そして、使用者は、複数の収納部を１つの収納部として使用し、より大きな収納物を側部収納部から上部収納部に亘って収納することができる。つまり、使用者は、側部収納部の上方に設置された底板を取り外すことにより収納空間を広げることができる。
【００１６】
また、作業者等は、メンテナンス作業を阻害しない底板に置かれた収納物を取り出すことなく、メンテナンス作業を阻害する底板に置かれた収納物だけを取り出し、そのメンテナンス作業を阻害する底板を取り外すことによりロータンクの蓋を容易に取り外すことができる。さらに、作業者等は、メンテナンス作業を阻害しない底板を取り付けた状態のままでロータンクのメンテナンスを行うことができるため、メンテナンスの際に用具などを取り付けた状態の底板に仮置きすることができる。
【００１７】
さらには、底板は側板を境界として分割されたため、収納内部をより有効に使うことができる。たとえば、境界上に分割される位置が収納側であるものに対して、上部収納部と側部収納部との境界に突出した境界が作られないので、上部収納部と側部収納部との全体にわたって大きな収納物を収納することができる。また、底板をロータンクの上部側を境界として分割した場合に対して、分割して収納側の底板を取り除いても、ロータンクの上部には底板が側板まで存在するため、収納力が低下することなく様々な収納物を収納することができるようになる。
【００１８】
このように、底板は、側板を境界として分割され、その分割された底板は、それぞれ独立して取り外し可能であるため、ロータンクのメンテナンスの作業性を向上させることができるとともに、トイレ空間のキャビネット収納箱の収納性を向上させることができる。つまり、使用者は、好みや使用状況に応じて収納空間を広げたり狭めたりすることができる。これにより、トイレ空間のキャビネット収納箱の内部における収納物のレイアウトの自由度を向上させることができる。
【００１９】
また、第３の発明は、第１または第２の発明において、前記底板は、手指を挿入可能な切欠部を有することを特徴とするトイレ空間のキャビネット収納箱である。
【００２０】
このトイレ空間のキャビネット収納箱によれば、底板は、手指を挿入可能な切欠部を有するため、作業者等は、例えば切欠部に指などを引っ掛けることにより底板を容易に取り外すことができる。そのため、ロータンクのメンテナンスの作業性をさらに向上させることができる。
【発明の効果】
【００２１】
本発明の態様によれば、ロータンクの上方に収納部を確保し、ロータンクのメンテナンスの作業性を向上させることができるトイレ空間のキャビネット収納箱が提供される。
【図面の簡単な説明】
【００２２】
【図１】本発明の実施の形態にかかるトイレ空間のキャビネット収納箱を表す斜視模式図である。
【図２】本実施形態にかかるトイレ空間のキャビネット収納箱を上方から眺めた平面模式図である。
【図３】本実施形態にかかるトイレ空間のキャビネット収納箱を表す分解模式図ある。
【図４】本実施形態の第１の底板を例示する模式図である。
【図５】本実施形態の右側板の近傍を拡大して前方から眺めた拡大模式図である。
【図６】本実施形態にかかるトイレ空間のキャビネット収納箱の収納状態を例示する斜視模式図である。
【図７】本実施形態の天板の設置形態の具体例を表す断面模式図である。
【図８】本実施形態の天板の設置形態の具体例を表す断面模式図である。
【図９】本実施形態の天板の設置形態の具体例を表す平面模式図である。
【図１０】本実施形態の変形例にかかるトイレ空間のキャビネット収納箱を表す斜視模式図である。
【図１１】本実施形態の変形例にかかるトイレ空間のキャビネット収納箱を上方から眺めた平面模式図である。
【図１２】本実施形態の変形例にかかるトイレ空間のキャビネット収納箱を表す分解模式図ある。
【図１３】本発明の他の実施の形態にかかるトイレ空間のキャビネット収納箱を表す斜視模式図である。
【図１４】本実施形態にかかるトイレ空間のキャビネット収納箱を上方から眺めた平面模式図である。
【図１５】本実施形態にかかるトイレ空間のキャビネット収納箱を表す分解模式図ある。
【図１６】本実施形態にかかるトイレ空間のキャビネット収納箱の収納状態を例示する斜視模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかるトイレ空間のキャビネット収納箱を表す斜視模式図である。  
また、図２は、本実施形態にかかるトイレ空間のキャビネット収納箱を上方から眺めた平面模式図である。  
また、図３は、本実施形態にかかるトイレ空間のキャビネット収納箱を表す分解模式図ある。  
また、図４は、本実施形態の第１の底板を例示する模式図である。  
なお、図４（ａ）は、本実施形態の第１の底板を例示する斜視模式図であり、図４（ｂ）は、本実施形態の第１の底板を上方から眺めた平面模式図である。
【００２４】
本実施形態にかかるトイレ空間のキャビネット収納箱１００は、図１〜図３に表したように、大便器８００の後方に隣接して設けられている。トイレ空間のキャビネット収納箱１００は、大便器８００の後方に設けられた前板１１０と、前板１１０の右側に設けられた右扉１２０と、前板１１０の左側に設けられた左扉１３０と、右扉１２０の側方に設けられトイレ空間の右壁面２０に隣接して設けられたキャビネット右側板１４０と、左扉１３０の側方に設けられトイレ空間の左壁面３０に隣接して設けられたキャビネット左側板１５０と、前板１１０、右扉１２０、左扉１３０、キャビネット右側板１４０、およびキャビネット左側板１５０の上方に設けられた天板１６０と、を備える。前板１１０と、右扉１２０と、左扉１３０と、キャビネット右側板１４０と、キャビネット左側板１５０と、天板１６０と、はトイレ空間のキャビネット収納箱１００の外形を形成する。
【００２５】
また、トイレ空間のキャビネット収納箱１００は、その内部にロータンク２１０を収納する。つまり、ロータンク２１０は、外部から見えないように設置され、隠蔽されている。ロータンク２１０は、大便器８００を洗浄する洗浄水を貯留し、大便器８００に洗浄水を供給する。例えば、ロータンク２１０内には、図示しないモータが設けられている。使用者がリモコンなどに設けられた便器洗浄ボタンを操作すると、図示しないモータは、駆動を開始し図示しないフラッパ弁を開く。これにより、ロータンク２１０に貯留された洗浄水は、大便器８００に供給される。あるいは、例えば、前板１１０の前面に図示しないハンドルレバーが設けられていてもよい。使用者が図示しないハンドルレバーを回転させると、ハンドルレバーに接続された玉鎖がフラッパ弁を引き上げる。これにより、ロータンク２１０に貯留された洗浄水は、大便器８００に供給される。
【００２６】
また、トイレ空間のキャビネット収納箱１００は、ロータンク２１０の右側方に設けられた右側板（側板）３１１と、ロータンク２１０の左側方に設けられた左側板（側板）３１２と、ロータンク２１０の上方に設けられた第１の底板３２０と、第１の底板３２０の右側方に設けられた第２の底板３３０と、を備える。さらに、トイレ空間のキャビネット収納箱１００は、キャビネット右側板１４０を介して右壁面２０に固定された右桟３５１、３５２、３５３と、キャビネット左側板１５０を介して左壁面３０に固定された左桟３５４、３５５、３５６と、を備える。
【００２７】
第１の底板３２０の一端は、左桟３５５により支持されている。一方、第１の底板３２０の他端は、図２に表したように、右側板３１１に固定された支持体３６０により支持されている。支持体３６０としては、例えば「ダボ」などの部材を利用することができる。第２の底板３３０の一端は、右桟３５２により支持されている。一方、第２の底板３３０の他端は、図２および図３に表したように、右側板３１１に固定された支持体３６０により支持されている。
【００２８】
第２の底板３３０は、固定されておらず、右桟３５２および支持体３６０により支持されているだけである。そのため、使用者や作業者など（以下、説明の便宜上「作業者等」と称する）は、図３に表したように、トイレ空間のキャビネット収納箱１００の上方から第２の底板３３０を取り外すことができる。第２の底板３３０と同様に、第１の底板３２０は、固定されておらず、左桟３５５および支持体３６０により支持されているだけである。そのため、作業者等は、トイレ空間のキャビネット収納箱１００の上方から第１の底板３２０を取り外すことができる。
【００２９】
ここで、第１の底板３２０には、図４に表したように、手指を挿入可能な切欠部３２１が設けられている。作業者等は、この切欠部３２１に例えば指などを引っ掛けることにより、第１の底板３２０を容易に上方に持ち上げて取り外すことができる。なお、切欠部３２１の設置位置および設置数は、これだけに限定されるわけではなく、複数設けられてもよい。例えば、第１の底板３２０には、手指を挿入可能な２つの切欠部３２１が離間して設けられていてもよい。また、切欠部３２１と同様の切欠部が、第２の底板３３０に設けられていてもよい。
【００３０】
トイレ空間のキャビネット収納箱１００は、図２および図３に表したように、右桟３５１および左桟３５４の後方に設けられた後桟３５８を備える。後桟３５８は、トイレ空間の後壁面１０に直接的に固定されている。天板１６０は、後に詳述するように、ヒンジにより後桟３５８に対して回動自在に軸支されている。あるいは、天板１６０は、前板１１０、右桟３５１、左桟３５４、および後桟３５８により支持されているだけであってもよい。これによれば、作業者等などは、図３に表したように、天板１６０を取り外すことができる。
【００３１】
また、第１および第２の底板３２０、３３０の下方には、棚板３４１、３４２がそれぞれ設けられている。棚板３４１は、右桟３５３と、右側板３１１に固定された図示しない支持体と、により支持されている。また、棚板３４２は、左桟３５６と、左側板３１２に固定された図示しない支持体と、により支持されている。棚板３４１、３４２の支持形態は、第１および第２の底板３２０、３３０の支持形態と同様である。なお、本実施形態にかかるトイレ空間のキャビネット収納箱１００では、棚板３４１、３４２は、ロータンク２１０の左右側にそれぞれ１つずつ設けられているが、これだけに限定されるわけではない。棚板は、ロータンク２１０の左右側にそれぞれ２つずつ、あるいはそれ以上設けられていてもよい。棚板の設置数は、適宜変更することができる。
【００３２】
トイレ空間のキャビネット収納箱１００は、以上の構造を有することにより、図１に表したように、ロータンク２１０の右側方に形成された右収納部（側部収納部）４２０、４３０と、ロータンクの左側方に形成された左収納部（側部収納部）４４０、４５０と、を有する。また、トイレ空間のキャビネット収納箱１００は、ロータンク２１０、右収納部４２０、４３０、および左収納部４４０、４５０の上方に形成された上収納部（上部収納部）４１０を有する。
【００３３】
つまり、右側板３１１は、ロータンク２１０が設けられた空間と、右収納部４２０、４３０と、を仕切っている。左側板３１２は、ロータンク２１０が設けられた空間と、左収納部４４０、４５０と、を仕切っている。第１の底板３２０は、ロータンクが設けられた空間および左収納部４４０と、上収納部４１０と、を仕切っている。第２の底板３３０は、右収納部４２０と、上収納部４１０と、を仕切っている。
【００３４】
使用者は、天板１６０を開けることにより、例えばトイレットペーパーなどの収納物を上方から上収納部４１０に収納したり取り出すことができる。また、使用者は、図２に表した矢印Ａ１あるいは矢印Ａ２のように、右扉１２０の一端部あるいは他端部を中心として、その右扉１２０を回動させ開くことができる。そのため、使用者は、右扉１２０を開くことにより、収納物を前方から右収納部４２０、４３０に収納したり取り出すことができる。さらに、使用者は、右扉１２０を開くことにより、第２の底板３３０および棚板３４１を前方から取り出すことができる。また、使用者は、図２に表した矢印Ａ３あるいは矢印Ａ４のように、左扉１３０の一端部あるいは他端部を中心として、その左扉１３０を回動させ開くことができる。そのため、使用者は、左扉１３０を開くことにより、収納物を前方から左収納部４４０、４５０に収納したり取り出すことができる。さらに、使用者は、左扉１３０を開くことにより、棚板３４２を前方から取り出すことができる。
【００３５】
ここで、ロータンク２１０の補修や点検などのメンテナンスについて説明する。  
作業者等は、ロータンク２１０のメンテナンスを行う際には、ロータンク２１０を見て点検したり、手を加えて補修したりする。そのため、ロータンク２１０がトイレ空間のキャビネット収納箱１００の内部に隠蔽された状態では、作業者等は、ロータンク２１０のメンテナンスを行うことはできない。また、ロータンク２１０の内部のメンテナンスを行う際には、作業者等は、ロータンク２１０の蓋を取り外して上方から作業を行う必要がある。そのため、上収納部４１０がロータンク２１０のメンテナンス作業を阻害する。
【００３６】
これに対して、本実施形態にかかるトイレ空間のキャビネット収納箱１００では、上収納部４１０の底面として機能する底板が、第１の底板３２０と第２の底板３３０とに分割されている。そのため、作業者等は、メンテナンスを行う際には、ロータンク２１０の上方に設けられた第１の底板３２０を取り外すことによりメンテナンスを行うことができる。言い換えれば、作業者等は、メンテナンスを行う際には、上収納部４１０の底面として機能する全ての底板を取り外す必要はない。
【００３７】
また、上収納部４１０の底面として機能する底板が分割されているため、上収納部４１０に収納物が収納されている場合でも、作業者等は、第１の底板３２０に置かれている収納物を取り出すことによりメンテナンスを行うことができる。言い換えれば、作業者等は、メンテナンスを行う際には、上収納部４１０に収納された全ての収納物を取り出す必要はない。本実施形態では、作業者等は、第２の底板３３０に置かれた収納物を取り出すことなく、第１の底板３２０に置かれた収納物だけを取り出し、第１の底板３２０を取り外すことによりメンテナンスを行うことができる。
【００３８】
また、上収納部４１０の底面として機能する底板が分割されているため、作業者等は、底板が分割されていない場合よりも小さくて軽い第１の底板３２０を容易に取り外すことができる。さらに、前述したように、第１の底板３２０には手指を挿入可能な切欠部３２１が設けられているため、作業者等は、切欠部３２１に指などを引っ掛けることにより第１の底板３２０を容易に取り外すことができる。
【００３９】
また、本実施形態では、第１および第２の底板３２０、３３０の上方には、右桟３５１、左桟３５４、後桟３５８が設けられている。そのため、上収納部４１０の底面として機能する底板が分割されていない場合、すなわち、底板が１つの部材により形成されている場合には、作業者等が底板をそのまま上方へ持ち上げると、その底板が右桟３５１や左桟３５４や後桟３５８などと接触するおそれがある。そうすると、作業者等は、底板を取り外すことが困難となる場合がある。
【００４０】
これに対して、本実施形態では、上収納部４１０の底面として機能する底板が分割されているため、作業者等は、第１の底板３２０および第２の底板３３０を上収納部４１０内で容易に傾けることができる。そのため、作業者等は、第１の底板３２０および第２の底板３３０が右桟３５１や左桟３５４や後桟３５８などと接触することを抑えつつ、第１の底板３２０および第２の底板３３０を容易に取り外すことができる。
【００４１】
また、作業者等は、第２の底板３３０を取り付けた状態のままでロータンク２１０のメンテナンスを行うことができるため、メンテナンスの際に用具などを第２の底板３３０に仮置きすることができる。
【００４２】
図１〜図４に関して説明したように、本実施形態によれば、上収納部４１０の底面として機能する底板が、第１の底板３２０と第２の底板３３０とに分割されている。そのため、作業者等は、ロータンク２１０のメンテナンスを行う際には、第１の底板３２０を容易に取り外すことができる。また、作業者等は、ロータンク２１０のメンテナンスを行う際には、第２の底板３３０を必ずしも取り外す必要はない。これにより、ロータンク２１０のメンテナンスの作業性を向上させることができる。
【００４３】
次に、本実施形態にかかるトイレ空間のキャビネット収納箱１００の収納性について、図面を参照しつつ説明する。  
図５は、本実施形態の右側板の近傍を拡大して前方から眺めた拡大模式図である。
【００４４】
図５に表したように、第１の底板３２０の一端は、左桟３５５により支持されており、一方で、第１の底板３２０の他端は、支持体３６０により支持されている。また、第２の底板３３０の一端は、右桟３５２により支持されており、一方で、第２の底板３３０の他端は、右側板３１１に固定された支持体３６０により支持されている。これらは、図２および図３に関して前述した如くである。
【００４５】
第１の底板３２０の上面３２３と、第２の底板３３０の上面３３３と、右側板３１１の上端部３１１ａと、の高さは図５に表したように略同じである。あるいは、右側板３１１の上端部３１１ａの高さは、第１の底板３２０の上面３２３および第２の底板３３０の上面３３３よりも低くてもよい。右側板３１１は、第１および第２の底板３２０、３３０からみて上方に突出していないため、使用者は、上収納部４１０をキャビネット右側板１４０からキャビネット左側板１５０に亘って広く使用することができる。例えば、使用者は、購入したトイレットペーパーを包装された状態のままで第１の底板３２０および第２の底板３３０に跨って置くことができる。
【００４６】
また、第１の底板３２０と第２の底板３３０とは、右側板３１１の上端部３１１ａに沿って分割されている。つまり、第１の底板３２０と第２の底板３３０とは、右側板３１１を境界として分割されている。そのため、使用者は、第１の底板３２０と第２の底板３３０とを右側板３１１を境界としてそれぞれ独立して取り外すことができる。これによれば、使用者は、第１の底板３２０を取り外すことなく第２の底板３３０だけを取り外すことにより、右収納部４２０と上収納部４１０とを接続することができる。そして、使用者は、複数の収納部を１つの収納部として使用し、より大きな収納物を右収納部４２０から上収納部４１０に亘って収納することができる。つまり、使用者は、第２の底板３３０を取り外すことにより収納空間を広げることができる。
【００４７】
また、作業者等は、第１の底板３２０と第２の底板３３０とを右側板３１１を境界としてそれぞれ独立して取り外すことができる。そのため、作業者等は、第２の底板３３０に置かれた収納物や第２の底板３３０を取り外すことなく、第１の底板３２０を取り外すことによりロータンク２１０の蓋を容易に取り外すことができる。さらに、作業者等は、第２の底板３３０を取り付けた状態のままでロータンク２１０のメンテナンスを行うことができるため、メンテナンスの際に用具などを第２の底板３３０に仮置きすることができる。
【００４８】
図６は、本実施形態にかかるトイレ空間のキャビネット収納箱の収納状態を例示する斜視模式図である。  
なお、図６は、本実施形態にかかるトイレ空間のキャビネット収納箱を前方の斜め上方から眺めた斜視模式図である。
【００４９】
使用者は、第２の底板３３０および棚板３４１（図１参照）を取り外すことにより、例えばブラシやほうきなどの長い収納物Ｂ１を立てた状態で収納することができる。この場合でも、第１の底板３２０と第２の底板３３０とは分割されているため、第１の底板３２０を取り付けておくことができる。そのため、使用者は、収納物Ｂ２、Ｂ３を第１の底板３２０に置いて収納することができる。
【００５０】
また、棚板３４２を取り付けることにより、トイレットペーパーやタオルなどの小さい収納物Ｂ４、Ｂ５を棚板３４２に置いて収納することができる。さらに、使用者は、棚板３４２の下に大便器８００を掃除するブラシなどの比較的長い収納物Ｂ６を収納することができる。
【００５１】
本実施形態によれば、第１の底板３２０と第２の底板３３０とは、右側板３１１の上端部３１１ａに沿って分割されているため、ロータンク２１０のメンテナンスの作業性を向上させることができるとともに、トイレ空間のキャビネット収納箱１００の収納性を向上させることができる。より具体的には、ロータンク２１０の側方には、右収納部４２０、４３０が設けられており、また、使用者は、第１の底板３２０と第２の底板３３０とを右側板３１１を境界としてそれぞれ独立して取り外すことができる。そのため、使用者は、第２の底板３３０を取り外すことにより右収納部４２０と上収納部４１０とを接続したり、第２の底板３３０および棚板３４１を取り外すことにより右収納部４２０、４３０と上収納部４１０とを接続することができる。つまり、使用者は、好みや使用状況に応じて収納空間を広げたり狭めたりすることができる。これにより、トイレ空間のキャビネット収納箱１００の内部における収納物のレイアウトの自由度を向上させることができる。
【００５２】
次に、本実施形態の天板１６０の設置形態の具体例について、図面を参照しつつ説明する。  
図７および図８は、本実施形態の天板の設置形態の具体例を表す断面模式図である。  
また、図９は、本実施形態の天板の設置形態の具体例を表す平面模式図である。  
なお、図７および図８は、図２に表したＣ−Ｃ切断面における断面模式図であり、図７は、天板が閉じた状態を表し、図８は、天板が開いた状態を表している。
【００５３】
本具体例では、天板１６０は、ヒンジ５１０により後桟３５８に対して回動自在に軸支されている。ヒンジ５１０の一端部５１１は、ねじなどの締結部材５１４により天板１６０に固定され、ヒンジ５１０の他端部５１２は、締結部材５１４により後桟３５８に固定されている。ヒンジ５１０の一端部５１１と、ヒンジ５１０の他端部５１２と、は軸支部５１５（図８参照）において互いに対して回動自在に軸支されている。
【００５４】
また、本具体例の天板１６０には、ダウンステー５２０が取り付けられている。ダウンステー５２０は、自身が有する摩擦抵抗により天板１６０が閉じるスピードを緩和することができる。つまり、ダウンステー５２０は、天板１６０が勢いよく閉じることを抑えることができる。
【００５５】
本具体例のダウンステー５２０は、第１の腕部５２１と、第２の腕部５２２と、を有する。第１の腕部５２１と第２の腕部５２２とは、図７および図８に表したように、軸支部５２０ａにおいて互いに対して回動自在に軸支されている。また、ダウンステー５２０は、軸支部５２１ａにおいて第１の腕部５２１に対して回動自在に軸支された第１の取付部５２３と、軸支部５２２ａにおいて第２の腕部５２２に対して回動自在に軸支された第２の取付部５２４と、を有する。第１の取付部５２３は、ねじなどの締結部材５２６により天板１６０に固定されている。一方、第２の取付部５２４は、締結部材５２６により左桟３５４に固定されている。なお、使用者は、軸支部５２０ａに設けられた図示しないトルク調整ねじにより天板１６０が閉じるスピードを調整することができる。
【００５６】
作業者等が天板１６０を開くと、天板１６０は、ヒンジ５１０の軸支部５１５を中心として回動する。また、ダウンステー５２０の第１の腕部５２１は、ダウンステー５２０の第２の腕部５２２に対して軸支部５２０ａを中心として回動し、第１の取付部５２３に対して軸支部５２１ａを中心として回動する。また、ダウンステー５２０の第２の腕部５２２は、ダウンステー５２０の第１の腕部５２１に対して軸支部５２０ａを中心として回動し、第２の取付部５２４に対して軸支部５２２ａを中心として回動する。そして、天板１６０が開いた状態は、図８および図９に表した如くである。
【００５７】
一方、作業者等が天板１６０を閉じると、ヒンジ５１０およびダウンステー５２０の軸支部は、天板１６０が開く場合とは反対方向にそれぞれ回動する。そして、天板１６０は、ダウンステー５２０により閉じるスピードを緩和され、ゆっくりと閉じる。天板１６０が閉じた状態は、図７に表した如くである。
【００５８】
このように本具体例では、上収納部４１０の底面として機能する底板の上方には、ヒンジ５１０や、ダウンステー５２０などが存在する。また、左扉１３０や右扉１２０の開閉を扉への押圧によって切り替えるプッシュラッチ５４０などが存在する。さらに、図１〜図３に関して前述したように、上収納部４１０の底面として機能する底板の上方には、右桟３５１、左桟３５４、後桟３５８が存在する。そして、上収納部４１０の底面として機能する底板の後方の端部は、図７および図８に表したように、ヒンジ５１０および後桟３５８の下方にまで延在している。
【００５９】
そのため、上収納部４１０の底面として機能する底板が１つの部材により形成されている場合には、作業者等が底板をそのまま上方へ持ち上げると、その底板がヒンジ５１０や、プッシュラッチ５４０や、ダウンステー５２０や、右桟３５１や、左桟３５４や、後桟３５８などと接触するおそれがある。そうすると、作業者等は、１つの部材として形成された底板を取り外すことが困難となる場合がある。
【００６０】
これに対して、本具体例では、上収納部４１０の底面として機能する底板が分割されているため、作業者等は、第１の底板３２０および第２の底板３３０を上収納部４１０内で容易に傾けることができる。そのため、作業者等は、第１の底板３２０および第２の底板３３０がヒンジ５１０や、プッシュラッチ５４０や、ダウンステー５２０や、右桟３５１や、左桟３５４や、後桟３５８などと接触することを抑えつつ、第１の底板３２０および第２の底板３３０を容易に取り外すことができる。これによれば、本具体例のように、ヒンジ５１０や、プッシュラッチ５４０や、ダウンステー５２０などの機構が上収納部４１０内に設けられた場合でも、ロータンク２１０のメンテナンスの作業性を向上させることができる。
【００６１】
次に、本実施形態の変形例について、図面を参照しつつ説明する。  
図１０は、本実施形態の変形例にかかるトイレ空間のキャビネット収納箱を表す斜視模式図である。  
また、図１１は、本実施形態の変形例にかかるトイレ空間のキャビネット収納箱を上方から眺めた平面模式図である。  
また、図１２は、本実施形態の変形例にかかるトイレ空間のキャビネット収納箱を表す分解模式図ある。
【００６２】
本変形例にかかるトイレ空間のキャビネット収納箱１００ａでは、第１の底板３２０ａと第２の底板３３０ａとは、右側板３１１の上端部３１１ａ（図５参照）に沿って分割されているわけではなく、ロータンク２１０の左右方向の略中心部において分割されている。第１の底板３２０ａは、左桟３５５および左側板３１２により支持されている。一方、第２の底板３３０ａは、右桟３５２および右側板３１１により支持されている。第１および第２の底板３２０ａ、３３０ａは、図４に関して前述した第１の底板３２０の切欠部３２１と同様の切欠部３２１ａ、３３１ａをそれぞれ有する。その他の構造は、図１〜図３に関して前述したトイレ空間のキャビネット収納箱１００の構造と同様である。
【００６３】
本変形例によれば、作業者等は、メンテナンスを行う際には、ロータンク２１０の上方に設けられた第１の底板３２０ａおよび第２の底板３３０ａのいずれかを取り外すことによりメンテナンスを行うことができる。言い換えれば、作業者等は、メンテナンスを行う際には、上収納部４１０の底面として機能する全ての底板を取り外す必要はない。また、作業者等は、底板が分割されていない場合よりも小さくて軽い第１の底板３２０ａおよび第２の底板３３０ａのいずれかを容易に取り外すことができる。また、その他の効果についても、図１〜図３に関して前述したトイレ空間のキャビネット収納箱１００と同様の効果を得ることができる。
【００６４】
このように、第１の底板３２０ａと第２の底板３３０ａとが右側板３１１の上端部３１１ａに沿って分割されていない場合でも、作業者等は、第１の底板３２０ａおよび第２の底板３３０ａのいずれかを容易に取り外すことができる。そのため、本変形例においても、ロータンク２１０のメンテナンスの作業性を向上させることができる。
【００６５】
次に、本発明の他の実施の形態について、図面を参照しつつ説明する。  
図１３は、本発明の他の実施の形態にかかるトイレ空間のキャビネット収納箱を表す斜視模式図である。  
また、図１４は、本実施形態にかかるトイレ空間のキャビネット収納箱を上方から眺めた平面模式図である。  
また、図１５は、本実施形態にかかるトイレ空間のキャビネット収納箱を表す分解模式図ある。
【００６６】
本実施形態にかかるトイレ空間のキャビネット収納箱１００ｂでは、上収納部４１０の底面として機能する底板が、第１の底板３２０ｂと第２の底板３３０ｂと第３の底板３７０とに分割されている。つまり、本実施形態では、上収納部４１０の底面として機能する底板は、３つの部材に分割されている。第１の底板３２０ｂと第２の底板３３０ｂとは、右側板３１１の上端部３１１ａに沿って分割されている。つまり、第１の底板３２０ｂと第２の底板３３０ｂとは、右側板３１１を境界として分割されている。一方、第１の底板３２０ｂと第３の底板３７０とは、左側板３１２の上端部３１２ａに沿って分割されている。つまり、第１の底板３２０ｂと第３の底板３７０とは、左側板３１２を境界として分割されている。
【００６７】
第１の底板３２０ｂは、図１４に表したように、両端において、右側板３１１および左側板３１２に固定された支持体３６０により支持されている。また、第２の底板３３０ｂの一端は、右桟３５２により支持されている。一方、第２の底板３３０ｂの他端は、右側板３１１に固定された支持体３６０により支持されている。また、第３の底板３７０の一端は、左桟３５５により支持されている。一方、第３の底板３７０の他端は、左側板３１２に固定された支持体３６０により支持されている。第１の底板３２０ｂは、図４に関して前述した第１の底板３２０の切欠部３２１と同様の切欠部３２１ｂを有する。その他の構造は、図１〜図３に関して前述したトイレ空間のキャビネット収納箱１００の構造と同様である。
【００６８】
本実施形態によれば、第１の底板３２０ｂと第２の底板３３０ｂとは、右側板３１１の上端部３１１ａに沿って分割されている。そのため、使用者は、第１の底板３２０ｂと第２の底板３３０ｂとを右側板３１１を境界としてそれぞれ独立して取り外すことができる。これによれば、使用者は、第１の底板３２０ｂを取り外すことなく第２の底板３３０ｂだけを取り外すことにより、右収納部４２０と上収納部４１０とを接続することができる。
【００６９】
また、第１の底板３２０ｂと第３の底板３７０とは、左側板３１２の上端部３１２ａに沿って分割されている。そのため、使用者は、第１の底板３２０ｂと第３の底板３７０とを左側板３１２を境界としてそれぞれ独立して取り外すことができる。これによれば、使用者は、第１の底板３２０ｂを取り外すことなく第３の底板３７０だけを取り外すことにより、左収納部４４０と上収納部４１０とを接続することができる。
【００７０】
そして、使用者は、複数の収納部を１つの収納部として使用し、より大きな収納物を右収納部４２０から上収納部４１０に亘って、および左収納部４４０から上収納部４１０に亘って収納することができる。つまり、使用者は、第２の底板３３０ｂおよび第３の底板３７０を取り外すことにより収納空間を広げることができる。本実施形態によれば、トイレ空間のキャビネット収納箱１００ｂの内部における収納物のレイアウトの自由度をさらに向上させることができる。
【００７１】
また、作業者等は、メンテナンスを行う際には、第２の底板３３０ｂおよび第３の底板３７０を取り付けた状態のままで、第１の底板３２０ｂを取り外すことによりロータンク２１０のメンテナンスを行うことができる。そのため、使用者は、メンテナンスの際に用具などを第２の底板３３０ｂおよび第３の底板３７０に仮置きすることができる。さらに、その他の効果についても、図１〜図３に関して前述したトイレ空間のキャビネット収納箱１００と同様の効果を得ることができる。
【００７２】
図１６は、本実施形態にかかるトイレ空間のキャビネット収納箱の収納状態を例示する斜視模式図である。  
なお、図１６は、本実施形態にかかるトイレ空間のキャビネット収納箱を前方の斜め上方から眺めた斜視模式図である。
【００７３】
使用者は、第１の底板３２０ｂ、第２の底板３３０ｂ、および第３の底板３７０を取り付けることにより、比較的大きい収納物Ｂ１１を第１の底板３２０ｂ、第２の底板３３０ｂ、および第３の底板３７０に置いて収納することができる。また、使用者は、棚板３４１を取り付けることにより、トイレットペーパーやタオルなどの小さい収納物Ｂ１２、Ｂ１３を棚板３４２に置いて収納することができる。さらに、使用者は、棚板３４１の下に大便器８００を掃除するブラシなどの比較的長い収納物Ｂ１４を収納することができる。これと同様に、使用者は、棚板３４２を取り付けることにより、収納物Ｂ１５を棚板３４２に置いて収納することができ、棚板３４２の下に収納物Ｂ１６を収納することができる。
【００７４】
また、図示しないが、第２および第３の底板３３０ｂ、３７０と、棚板３４１、３４２と、を取り外すと、ロータンク２１０の左右側方において、例えばブラシやほうきなどの長い収納物を立てた状態で収納することができる。この場合でも、第１の底板３２０ｂと第２の底板３３０ｂと第３の底板３７０とは分割されているため、第１の底板３２０ｂを取り付けておくことができる。そのため、使用者は、購入したトイレットペーパーを包装された状態のままで第１の底板３２０ｂにおいて収納することができる。このように、本実施形態では、上収納部４１０の底面として機能する底板が３つの部材に分割されているため、トイレ空間のキャビネット収納箱１００ｂの内部における収納物のレイアウトの自由度をさらに向上させることができる。
【００７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ空間のキャビネット収納箱１００、１００ａ、１００ｂなどが備える各要素の形状、寸法、材質、配置などや第１の底板３２０、３２０ａ、３２０ｂ、第２の底板３３０、３３０ａ、３３０ｂ、および第３の底板３７０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１０ 後壁面、  ２０ 右壁面、  ３０ 左壁面、  １００、１００ａ、１００ｂ キャビネット収納箱、  １１０ 前板、  １２０ 右扉、  １３０ 左扉、  １４０ キャビネット右側板、  １５０ キャビネット左側板、  １６０ 天板、  ２１０ ロータンク、  ３１１ 右側板、  ３１１ａ 上端部、  ３１２ 左側板、  ３１２ａ 上端部、  ３２０、３２０ａ、３２０ｂ 第１の底板、  ３２１、３２１ａ、３２１ｂ 切欠部、  ３２３ 上面、  ３３０、３３０ａ、３３０ｂ 第２の底板、  ３３１ａ 切欠部、  ３３３ 上面、  ３４１、３４２ 棚板、  ３５１、３５２、３５３ 右桟、  ３５４、３５５、３５６ 左桟、  ３５８ 後桟、  ３６０ 支持体、  ３７０ 第３の底板、  ４１０ 上収納部、  ４２０、４３０ 右収納部、  ４４０、４５０ 左収納部、  ５１０ ヒンジ、  ５１１ 一端部、  ５１２ 他端部、  ５１４ 締結部材、  ５１５ 軸支部、  ５２０ ダウンステー、  ５２０ａ 軸支部、  ５２１ 第１の腕部、  ５２１ａ 軸支部、  ５２２ 第２の腕部、  ５２２ａ 軸支部、  ５２３ 第１の取付部、  ５２４ 第２の取付部、  ５２６ 締結部材、  ５４０ プッシュラッチ、  ８００ 大便器
【図１】
0005441011.tif 000002
【図２】
0005441011.tif 000003
【図３】
0005441011.tif 000004
【図４】
0005441011.tif 000005
【図５】
0005441011.tif 000006
【図６】
0005441011.tif 000007
【図７】
0005441011.tif 000008
【図８】
0005441011.tif 000009
【図９】
0005441011.tif 000010
【図１０】
0005441011.tif 000011
【図１１】
0005441011.tif 000012
【図１２】
0005441011.tif 000013
【図１３】
0005441011.tif 000014
【図１４】
0005441011.tif 000015
【図１５】
0005441011.tif 000016
【図１６】
0005441011.tif 000017